(57)【要約】      （修正有）【課題】光沢性及びインクジェットヘッドの目詰まり安定性に優れたインクジェット記録方法を提供する。【解決手段】色材を含有する第１インク組成物と、樹脂を含有し且つ色材を実質的に含有しない第２インク組成物と、を少なくとも用いるインクジェット記録方法であって、インクジェットヘッド３１を用いて、インク非吸収性又は低吸収性の被記録媒体Ｐに対して前記第１インク組成物を記録し、画像を形成する第１記録工程と、インクジェットヘッドを用いて、乾燥率が６０％以上の前記画像に対して、前記第２インク組成物を記録する第２記録工程と、を含む。【選択図】図２
2013144385.tif 000002
【特許請求の範囲】
【請求項１】
色材を含有する第１インク組成物と、樹脂を含有し且つ色材を実質的に含有しない第２インク組成物と、を少なくとも用いるインクジェット記録方法であって、
インクジェットヘッドを用いて、インク非吸収性又は低吸収性の被記録媒体に対して前記第１インク組成物を記録し、画像を形成する第１記録工程と、
インクジェットヘッドを用いて、乾燥率が６０％以上の前記画像に対して前記第２インク組成物を記録する第２記録工程と、を含む、インクジェット記録方法。
【請求項２】
前記第１記録工程と同時に、又は該工程の後であって前記第２記録工程より前に行われ、第１温度で、又は、前記第１温度及び該第１温度以上である第２温度で、前記画像を乾燥して、前記乾燥率を６０％以上とする第１乾燥工程と、
前記第２記録工程と同時に、又は該工程の後に行われ、前記第１温度以上である第３温度で前記画像を乾燥させる第２乾燥工程と、をさらに含み、
前記樹脂の熱変形温度は、前記第１温度以上、前記第３温度以下である、請求項１に記載のインクジェット記録方法。
【請求項３】
前記樹脂は、アクリル樹脂、ウレタン樹脂、ポリエステル樹脂、及びスチレン−アクリル樹脂から選択される一種以上である、請求項１又は２に記載のインクジェット記録方法。
【請求項４】
前記第１記録工程は、インクジェットヘッドを用いて行われ、かつ、前記被記録媒体の正方向への搬送動作を行うのと同時に実行され、
前記第２記録工程は、前記被記録媒体の逆方向への搬送動作を行うのと同時に、又は該逆方向への搬送動作を終えた後に実行される、請求項１〜３のいずれか１項に記載のインクジェット記録方法。
【請求項５】
前記第２記録工程は、前記画像に対して前記第２インク組成物を記録し、前記被記録媒体上で前記第２インク組成物が乾燥した後に、前記第２インク組成物を再び記録するものである、請求項１〜４のいずれか１項に記載のインクジェット記録方法。
【請求項６】
前記第１記録工程に用いられるインクジェットヘッドは、走査機構によって主走査方向に走査され、かつ、複数のノズル孔からなるノズル列を備え、
前記ノズル列は、前記第１インク組成物を吐出するための前記ノズル孔を前記主走査方向と交差する副走査方向に複数並べてなる第１ノズル列と、前記画像の下地層を記録する下地インク組成物を吐出するための前記ノズル孔を前記副走査方向に複数並べてなる第２ノズル列と、を含み、
前記第１記録工程は、
前記第１ノズル列及び前記第２ノズル列を、前記副走査方向に向かって、所定数の前記ノズル孔を含む群毎に分割して用い、
前記副走査方向の上流側にある第１群を用いて、前記下地インク組成物を記録し、かつ、
前記第１群よりも前記副走査方向の下流側にある第２群を用いて、前記第１インク組成物を記録するものである、請求項４又は５に記載のインクジェット記録方法。
【請求項７】
前記第２インク組成物は、非プロトン性極性溶媒を実質的に含有しない、請求項１〜６のいずれか１項に記載のインクジェット記録方法。
【請求項８】
請求項１〜７のいずれか１項に記載のインクジェット記録方法を利用する、記録装置。
【発明の詳細な説明】
【技術分野】
【０００１】
本発明は、インクジェット記録方法及び記録装置に関する。
【背景技術】
【０００２】
従来、被記録媒体に、画像データ信号に基づき画像を形成する記録方法として、種々の方式が利用されてきた。このうち、インクジェット方式は、安価な装置で、必要とされる画像部のみにインクを吐出し被記録媒体上に直接画像形成を行うため、インクを効率良く使用でき、ランニングコストが安い。さらに、インクジェット方式は騒音が小さいため、記録方法として優れている。
【０００３】
近年、画像の品質を高めるため、有色インクの画像を印刷した後に、無色透明のクリアインクを上塗り印刷する手法が注目されている。
【０００４】
例えば、特許文献１は、色インクと樹脂を含有するクリアインクとを備えたインクセットを用意し、普通紙又は上質紙上にインクジェット法で印刷する方法を開示している。また、当該印刷は、まず記録媒体に対して色インクのパッチや画像を印刷し、その後、色インクの印刷領域に対してクリアインクをベタ印刷し、最後にヒーターで加熱乾燥する旨も開示している（文献１の明細書段落００６７）。
【先行技術文献】
【特許文献】
【０００５】
【特許文献１】特開２０１０−２２１６３４号公報
【発明の概要】
【発明が解決しようとする課題】
【０００６】
しかしながら、特許文献１が開示する印刷方法のように、クリアインクの上塗りが、色インク（有色インク）の塗布と（ほぼ）同時に行われる場合、光沢性が劣るという問題が生じる。また、特許文献１が開示するインクは、インクジェットヘッド近傍で固着してしまう場合があり、インクジェットヘッドの目詰まり安定性も劣るという問題が生じる。
【０００７】
そこで、本発明は、光沢性及びインクジェットヘッドの目詰まり安定性に優れたインクジェット記録方法を提供することを目的の一つとする。
【課題を解決するための手段】
【０００８】
本発明者らは上記課題を解決するため鋭意検討した。その結果、色材を含む有色の第１インク組成物と、樹脂を含み、且つ色材を実質的に含まない無色透明の第２インク組成物と、を少なくとも用い、当該第１インク組成物の画像を形成した後に、当該画像の乾燥率を調整した上で当該第２インク組成物を記録するインクジェット記録方法により、上記の問題点を解決することができることを見出し、本発明を完成した。
【０００９】
即ち、本発明は下記のとおりである。
［１］
色材を含有する第１インク組成物と、樹脂を含有し且つ色材を実質的に含有しない第２インク組成物と、を少なくとも用いるインクジェット記録方法であって、インクジェットヘッドを用いて、インク非吸収性又は低吸収性の被記録媒体に対して前記第１インク組成物を記録し、画像を形成する第１記録工程と、インクジェットヘッドを用いて、乾燥率が６０％以上の前記画像に対して前記第２インク組成物を記録する第２記録工程と、を含む、インクジェット記録方法。
［２］
前記第１記録工程と同時に、又は該工程の後であって前記第２記録工程より前に行われ、第１温度で、又は、前記第１温度及び該第１温度以上である第２温度で、前記画像を乾燥して、前記乾燥率を６０％以上とする第１乾燥工程と、前記第２記録工程と同時に、又は該工程の後に行われ、前記第１温度以上である第３温度で前記画像を乾燥させる第２乾燥工程と、をさらに含み、前記樹脂の熱変形温度は、前記第１温度以上、前記第３温度以下である、［１］に記載のインクジェット記録方法。
［３］
前記樹脂は、アクリル樹脂、ウレタン樹脂、ポリエステル樹脂、及びスチレン−アクリル樹脂から選択される一種以上である、［１］又は［２］に記載のインクジェット記録方法。
［４］
前記第１記録工程は、インクジェットヘッドを用いて行われ、かつ、前記被記録媒体の正方向への搬送動作を行うのと同時に実行され、前記第２記録工程は、前記被記録媒体の逆方向への搬送動作を行うのと同時に、又は該逆方向への搬送動作を終えた後に実行される、［１］〜［３］のいずれかに記載のインクジェット記録方法。
［５］
前記第２記録工程は、前記画像に対して前記第２インク組成物を記録し、前記被記録媒体上で前記第２インク組成物が乾燥した後に、前記第２インク組成物を再び記録するものである、［１］〜［４］のいずれかに記載のインクジェット記録方法。
［６］
前記第１記録工程に用いられるインクジェットヘッドは、走査機構によって主走査方向に走査され、かつ、複数のノズル孔からなるノズル列を備え、前記ノズル列は、前記第１インク組成物を吐出するための前記ノズル孔を前記主走査方向と交差する副走査方向に複数並べてなる第１ノズル列と、前記画像の下地層を記録する下地インク組成物を吐出するための前記ノズル孔を前記副走査方向に複数並べてなる第２ノズル列と、を含み、前記第１記録工程は、前記第１ノズル列及び前記第２ノズル列を、前記副走査方向に向かって、所定数の前記ノズル孔を含む群毎に分割して用い、前記副走査方向の上流側にある第１群を用いて、前記下地インク組成物を記録し、かつ、前記第１群よりも前記副走査方向の下流側にある第２群を用いて、前記第１インク組成物を記録するものである、［４］又は［５］に記載のインクジェット記録方法。
［７］
前記第２インク組成物は、非プロトン性極性溶媒を実質的に含有しない、［１］〜［６］のいずれかに記載のインクジェット記録方法。
［８］
［１］〜［７］のいずれかに記載のインクジェット記録方法を利用する、記録装置。
【図面の簡単な説明】
【００１０】
【図１】本実施形態におけるプリンターの構成を示す概略図である。
【図２】本実施形態におけるプリンターのヘッド周辺の概略断面図である。
【図３】ノズル列の分割による記録手段を表す概略図である。
【図４】第１乾燥工程における乾燥率を算出するためのグラフである。
【図５】実施例２〜４及び実験例１の光沢度（２０度）の結果を表すグラフである。
【発明を実施するための形態】
【００１１】
以下、本発明を実施するための形態について詳細に説明する。なお、本発明は、以下の実施形態に制限されるものではなく、その要旨の範囲内で種々変形して実施することができる。
【００１２】
なお、本明細書において、第１インク組成物及び第２インク組成物を、纏めて「インク組成物」と称することもある。
【００１３】
本明細書において、「第１温度」、「第２温度」、及び「第３温度」とは、インク組成物と接触する被記録媒体の表面の温度を意味する。これらの温度は、市販のサーモグラフを用いて測定可能である。当該サーモグラフの具体例として、赤外線サーモグラフィ装置（Ｈ２６４０／Ｈ２６３０〔商品名〕、ＮＥＣ  Ａｖｉｏ赤外線テクノロジー社（NEC Avio Infrared Technologies Co., Ltd.）製）が挙げられる。
【００１４】
［インクジェット記録装置］
本発明の一実施形態に係るインクジェット記録装置（以下、単に「記録装置」とも言う。）は、第１インク組成物を吐出するためのインクジェットヘッド及び第２インク組成物を吐出するためのインクジェットヘッド（以下、単に「ヘッド」とも言う。）を、被記録媒体に対して相対的に移動させつつ、当該ヘッドからインクを吐出させて記録を行うものであれば、特に制限されない。
なお、第１インク組成物を吐出するためのヘッドと第２インク組成物を吐出するためのヘッドとは、それぞれ別のヘッドであってもよく、互いに同一のヘッドであってもよい。
【００１５】
当該インクジェット記録装置として、オフキャリッジタイプのシリアルプリンター（以下、単に「プリンター」とも言う。）を例示し、図を参照しつつ説明する。ここで、シリアルプリンターは、ヘッドが被記録媒体の搬送方向と交差する方向を往復移動しながら記録が行われるものである。このうち、オフキャリッジタイプのシリアルプリンターは、インクカートリッジとキャリッジ上のヘッドとをチューブで繋いだものである。
なお、以下の説明に用いる図面では、各部材を認識可能な大きさとするため、各部材の縮尺を適宜変更している。
【００１６】
図１は、プリンター１の構成を示すブロック図である。図２は、プリンター１のヘッド周辺の概略断面図である。ここで、図２中、紙面の左から右への方向（Ｙ）が、被記録媒体が搬送される方向（経路）に対応する。
【００１７】
本実施形態のプリンター１は、インク非吸収性又は低吸収性の被記録媒体（以下、単に「被記録媒体」とも言う。）Ｐに向けて、第１インク組成物及び第２インク組成物をこの順に吐出することで、当該被記録媒体Ｐに画像を形成する装置である。ここで、本実施形態のプリンター１は、様々な色のインクを用いて画像を形成することができ、第１インク組成物を用いた印刷としては、例えば、ＣＭＹＫの４色のインクを用いて画像を形成したり、白色のインクを用いて被記録媒体Ｐに優れた隠蔽性を付与する下地を形成したりすることが挙げられる。また、第２インク組成物を用いた印刷としては、例えば、クリアインクを上記第１インク組成物に上塗りすることが挙げられ、これにより光沢感を増大することができる。
【００１８】
プリンター１は、搬送ユニット１０、キャリッジユニット２０、ヘッドユニット３０、ヒーターユニット４０、検出器群５０、及びコントローラー６０を有する。外部装置であるコンピューター１１０から印刷データを受信したプリンター１は、コントローラー６０によって各ユニット（搬送ユニット１０、キャリッジユニット２０、ヘッドユニット３０、ヒーターユニット４０）を制御する。コントローラー６０は、コンピューター１１０から受信した印刷データに基づいて、各ユニットを制御し、被記録媒体Ｐに画像を印刷する。プリンター１内の状況は検出器群５０によって監視されており、検出器群５０は、検出結果をコントローラー６０に出力する。コントローラー６０は、検出器群５０から出力された検出結果に基づいて、各ユニットを制御する。
【００１９】
搬送ユニット１０は、紙などの被記録媒体Ｐを所定の方向（以下、「搬送方向」又は「副走査方向」と言う。）に搬送させるためのものである。この搬送ユニット１０は、給紙ローラー１１と、搬送モーター（不図示）と、搬送ローラー１３と、プラテン１４と、排紙ローラー１５と、を有する。給紙ローラー１１は、紙挿入口に挿入された被記録媒体Ｐをプリンター１内に給紙するためのローラーである。搬送ローラー１３は、給紙ローラー１１によって給紙された被記録媒体Ｐを印刷可能な領域まで搬送するローラーであり、搬送モーターによって駆動される。プラテン１４は、印刷中の被記録媒体Ｐを支持し、その上に紙送りモーター（不図示）の駆動により被記録媒体Ｐが給送されるものである。排紙ローラー１５は、被記録媒体Ｐをプリンターの外部に排出するローラーであり、印刷可能な領域に対して搬送方向下流側に設けられている。
【００２０】
キャリッジユニット２０は、ヘッド３１を、印刷領域に静止させた被記録媒体Ｐに対して、インクを吐出しながら上記搬送方向（副走査方向）と交差する方向（以下、「移動方向」又は「主走査方向」と言う。）に移動、即ち走査させる移動機構である。キャリッジユニット２０は、キャリッジ２１と、キャリッジモーター（不図示）と、を有する。キャリッジ２１は、その内部にヘッド３１を備え、タイミングベルト（不図示）を介して、キャリッジモーター（不図示）に連結されたものである。インクカートリッジ（不図示）は、キャリッジ２１と別の場所に載置されたものであり、プリンター１本体の外側（キャリッジ２１の移動範囲の外側）に設けられたカートリッジ収納部（不図示）に収納されている。インクカートリッジとキャリッジ２１との間は、インク供給チューブ（不図示）で接続される。この場合、インクカートリッジ及びキャリッジ２１は、共に動かない。そして、キャリッジ２１は、後述する搬送方向と交差したガイド軸２４に支持された状態で、キャリッジモーターによりガイド軸２４に沿って往復移動する。ガイド軸２４は、キャリッジ２１がガイド軸２４の軸線方向に往復移動可能に支持されたものである。
【００２１】
ヘッドユニット３０は、第１インク組成物及び第２インク組成物を、被記録媒体Ｐに対して吐出するためのものである。ヘッドユニット３０は、複数のノズルを有するヘッド３１を備える。ヘッド３１はキャリッジ２１に設けられているため、キャリッジ２１が移動方向に移動すると、ヘッド３１も移動方向に移動する。そして、ヘッド３１が移動方向に移動している間、第１インク組成物及び第２インク組成物を被記録媒体Ｐに対して吐出するものである。これにより、移動方向に沿ったドット列が被記録媒体Ｐに形成される。このように、ヘッド３１が、第１インク組成物及び第２インク組成物を被記録媒体Ｐに対して吐出するものであることにより、記録装置を簡略化することができる。
なお、ヘッド３１の移動において、図２の一端側から他端側に向かって移動する間にインク組成物の吐出が行われる。また、他端側から一端側に移動する間にはインク組成物の吐出は行ってもよいし行わなくてもよい。
【００２２】
ヒーターユニット４０は、任意のユニットであり、被記録媒体Ｐに付着（着弾）したインク組成物に対して加熱することにより、当該インク組成物を乾燥するものである。被記録媒体Ｐ上に形成されたドットは、ヒーターユニット４０で加熱されて定着（硬化）することにより、画像を完成する。ヒーターユニット４０は、ヘッドユニット３０に隣接する搬送方向下流側にある乾燥ヒーター４２と、当該乾燥ヒーター４２の搬送方向下流側にある硬化ヒーター４３と、必要に応じてヘッド３１近傍に配置される送風機４４と、を備えている。乾燥ヒーター４２は、第１温度で画像を適度に乾燥するものであって、画像の乾燥率を６０％以上とするためのものである。送風機４４は、任意の機材であり、乾燥ヒーター４２による画像の乾燥を促進するものである。硬化ヒーター４３は、上記第１温度以上である第２温度で画像を乾燥して画像の乾燥率を６０％以上とするためのものであるか、あるいは、上記画像に対してさらに第２インク組成物が上塗りされた画像（以下、「上塗り画像」とも言う。）を少なくとも上記第１温度以上である第３温度で十分に乾燥して、当該上塗り画像を被記録媒体Ｐ上に定着させるためのものである。
【００２３】
検出器群５０には、リニア式エンコーダー（不図示）、ロータリー式エンコーダー（不図示）、紙検出センサー５３、及び光学センサー５４等が含まれる。リニア式エンコーダーは、キャリッジ２１の移動方向の位置を検出するものである。ロータリー式エンコーダーは、搬送ローラー１３の回転量を検出するものである。紙検出センサー５３は、給紙中の紙（被記録媒体Ｐ）の先端の位置を検出するものである。光学センサー５４は、キャリッジ２１に取付けられている発光部と受光部により、被記録媒体Ｐの有無を検出するものである。そして、光学センサー５４は、キャリッジ２１によって移動しながら被記録媒体Ｐの端部の位置を検出し、被記録媒体Ｐの幅を検出することができる。また、光学センサー５４は、状況に応じて、被記録媒体Ｐの先端（搬送方向下流側の端部であって上端とも言う。）や後端（搬送方向上流側の端部であって下端とも言う。）も検出できる。
【００２４】
コントローラー６０は、プリンター１の制御を行うための制御ユニット（制御部）である。コントローラー６０は、インターフェイス部６１と、ＣＰＵ６２と、メモリー６３と、ユニット制御回路６４と、を有する。インターフェイス部６１は、外部装置であるコンピューター１１０とプリンター１との間でデータの送受信を行う。ＣＰＵ６２は、プリンター１全体の制御を行うための演算処理装置である。メモリー６３は、ＣＰＵ６２のプログラムを格納する領域や作業領域等を確保するためのものであり、ＲＡＭ、ＥＥＰＲＯＭ等の記憶素子を有する。ＣＰＵ６２は、メモリー６３に格納されているプログラムに従って、ユニット制御回路６４を介して各ユニットを制御する。
【００２５】
印刷を行うとき、コントローラー６０は、後述するように移動方向に移動中のヘッド３１からインク組成物を吐出させるドット形成動作と、搬送方向に被記録媒体Ｐを搬送する搬送動作と、を交互に繰り返し、複数のドットから構成される画像（上塗り画像を含む。）を被記録媒体Ｐに印刷する。
【００２６】
このように、上記のインク組成物を用いたインクジェット記録装置は、被記録媒体Ｐのヘッド３１と対向する領域に画像（上塗り画像を含む。）を形成するものである。
【００２７】
〔インクジェット記録装置の変形例〕
上述の記録装置は、オフキャリッジタイプのシリアルプリンターである。図示していないが、大容量インクタンクがプリンター１の外側に増設される場合、当該大容量インクタンクとインクカートリッジとの間がインク補給チューブで接続される。これにより、オンキャリッジタイプのプリンターと同様、オフキャリッジタイプのプリンター１においても、インク組成物の貯蔵量を大幅に増大させることができる。
【００２８】
また、本実施形態の記録装置は、インクカートリッジ（インクタンク）をヘッド３１と共にキャリッジ２１に搭載する、オンキャリッジタイプのシリアルプリンターであってもよい。オンキャリッジタイプの場合、キャリッジ２１はインク組成物を収容するインクカートリッジ（不図示）を着脱可能に保持している。
【００２９】
また、本実施形態の記録装置は、ヘッドがほぼ移動せずに記録が行われるラインプリンターであってもよい。
【００３０】
［インクジェット記録方法］
本発明の一実施形態に係るインクジェット記録方法（以下、単に「記録方法」とも言う。）は、上記実施形態のインクジェット記録装置を用いて記録を行うことができる。
【００３１】
当該インクジェット記録方法は、下記の第１記録工程及び第２記録工程を少なくとも含む。また、当該インクジェット記録方法は、第１記録工程と同時に、又は当該工程の後であって第２記録工程より前に行われる第１乾燥工程と、第２記録工程と同時に、又は当該工程の後に行われる第２乾燥工程と、をさらに含むことが好ましい。
【００３２】
以下では、被記録媒体Ｐの搬送経路と逆方向に搬送を行う記録方法、即ちバックフィードを取り入れた記録方法について説明し、かつ、図２を参照しつつ上記の各工程を詳細に説明する。当該図は、バックフィードを取り入れたインクジェット記録方法を示す概略断面図である。
【００３３】
〔第１記録工程〕
第１記録工程においては、ヘッドを用いて、インク非吸収性又は低吸収性の被記録媒体に対して第１インク組成物を記録し、画像を形成する。換言すると、被記録媒体に向けて、ヘッドから第１インク組成物を吐出し付着（着弾）させることにより、第１インク組成物からなる画像が形成される。当該第１記録工程では様々な色のインクを用いて画像を形成することができ、例えば、ＣＭＹＫの４色インクを用いて画像を形成したり、白色インクを用いて被記録媒体に優れた隠蔽性をもたらす下地を形成したりすることができる。
【００３４】
なお、第１記録工程は、ヘッドから吐出された第１インク組成物が成膜した（膜化した）時点で完了したものとする。
【００３５】
特にバックフィードを取り入れた記録方法の場合、図２に示すように、第１記録工程は、ヘッド３１を用いて行われ、かつ、被記録媒体の副走査方向のうち正方向、即ち搬送方向の上流側から下流側の方向（Ｙ１方向）への搬送動作を行うのと同時に実行される。また、第１記録工程では、主走査方向に、ヘッド３１内のノズルから第１インク組成物を被記録媒体に向けて吐出し着弾させて画像を形成する。
【００３６】
ここで、シリアルプリンターを用いた記録方法においては、パス数（主走査回数）が２回以上のマルチパス印刷が可能である。このマルチパス印刷により２回以上に分けてインクを塗り重ねて画像を形成することで、画質の一層優れた画像とすることができる。
【００３７】
〔第１乾燥工程〕
本実施形態のインクジェット記録方法は、第１乾燥工程をさらに含むことが好ましい。当該第１乾燥工程においては、第１記録工程と同時に、又は当該工程の後であって第２記録工程より前に行われ、第１温度で、又は当該第１温度及びこの第１温度以上である第２温度で、上記画像を乾燥して、乾燥率を６０％以上とする。第２記録工程の前に画像の乾燥率を６０％以上とすることにより、第２インク組成物から形成された層が高い光沢度を有する。また、第１インク組成物に由来する画像と第２インク組成物との間で滲みが生じることを防止できる。上記乾燥率は、当該光沢度を高くすることができるとともに滲みの発生を一層効果的に防ぐため、７０％以上がより好ましく、８０％以上がさらに好ましい。
【００３８】
なお、本明細書における「乾燥率」は、乾燥後のインク組成物の質量を吐出時のインク組成物の質量で除することによって算出される。また、上記の第１乾燥工程における乾燥率は、以下のようにして測定、算出される。図４は、第１乾燥工程における乾燥率を算出するために経時的変化を用いたグラフである。
【００３９】
被記録媒体に白色のインクを付与して画像形成したときの被記録媒体の質量が、乾燥率０％に相当する。そして、所定の乾燥条件下で画像を乾燥させ、被記録媒体の質量変化が実質的に止まった時点が、乾燥率１００％に相当する。これら２つのデータ及び乾燥時間を変更させて得たデータ（中間乾燥率）から、同一の乾燥条件下において、経時的な被記録媒体の質量変化及び経時的な乾燥率の変化を表すことができる。このようにして得られた結果、白色の画像形成から有色（白色を除く。）の画像形成までの時間や、第２記録工程時の被記録媒体の質量などから、乾燥率を算出することができる。なお、乾燥温度が随時変化する場合には、質量を基準に乾燥率を算出するのが好ましい。
【００４０】
上述の特許文献１が開示する印刷方法は、被記録媒体への有色インクの塗布とクリアインクの上塗りとが、（ほぼ）同時に行われるため、インクの打ち込み量を調整する必要がある。だが、打ち込み量を増やすと滲みが発生するという問題が生じる。これに対し、本実施形態では、第１記録工程により得られた画像の乾燥率が６０％以上になった後に第２記録工程が行われるため、第１記録工程及び第２記録工程が（ほぼ）同時に行われることはない。したがって、インクが滲むという問題はなく、インクの打ち込み量は特に制限されない。
【００４１】
画像の乾燥率を６０％以上とするための乾燥（以下、「乾燥率６０％以上の乾燥」とも言う。）は、少なくとも乾燥ヒーター４２を用いて行われる。乾燥ヒーター４２は、第１温度で乾燥するものである。図２に示すように、乾燥ヒーター４２はヘッドからの第１インク組成物の吐出位置と近接しているため、第１インク組成物の吐出と乾燥率６０％以上の乾燥とは、（ほぼ）同時に行われる。換言すれば、第１記録工程及び第１乾燥工程が行われている間は、被記録媒体が副走査方向に（ほぼ）動かない。乾燥ヒーター４２としては、画像の乾燥率が６０％以上となる限り特に限定されないが、例えば、赤外線ヒーター、温風ヒーター、及び熱風ヒーターが挙げられる。これらの中でも、被記録媒体のみを加熱可能なことから加熱が極めて速い（昇温速度が大きい）ため、赤外線ヒーターが好ましい。
なお、第１乾燥工程は、画像の乾燥率を６０％以上とするため、第１温度で乾燥し、続いて第２温度で乾燥を行う場合、それぞれ乾燥ヒーター４２及び硬化ヒーター４３を用いて行うことができる。このうち硬化ヒーター４３は、上記第１温度及び当該温度以上である第２温度で乾燥するものである。
【００４２】
上記乾燥率６０％以上の乾燥の際の温度、即ち第１温度及び第２温度は、画像の乾燥率を６０％以上とすることができる温度であり、かつ、後述するように、少なくとも第２インク組成物に含まれる樹脂の熱変形温度以下であることが好ましい。少なくとも第１温度が画像の乾燥率を６０％以上とすることができる温度であると、滲みを防止することができる。また、第１温度が上記樹脂の熱変形温度以下であると、ヘッドを熱で損傷することを防止できる。第１温度の具体的な温度は、上記の条件を全て満たすため、４０〜６０℃が好ましい。
【００４３】
一方、第２温度は、後述の第３温度と同様の温度範囲であることが好ましいが、当該第３温度とは互いに独立して温度設定される。したがって、第２温度は、第３温度と同じ温度でも異なる温度でもよい。また、特に第２温度が第３温度と異なる温度である場合、硬化ヒーター４３は互いに同じものであっても異なるものであってもよい。
【００４４】
また、第１乾燥工程において少なくとも乾燥ヒーター４２を用いて画像の乾燥率が６０％以上となるよう乾燥する際、当該乾燥を促進するため、送風機４４を使用してもよい。送風機４４は、常温の風や冷風のいずれを供給するものであってもよい。また、送風機４４はヘッド３１の近傍に配置されるとよい。
【００４５】
〔バックフィード工程〕
バックフィード工程においては、被記録媒体の副走査方向のうち逆方向、即ち搬送方向の下流側から上流側の方向（Ｙ２方向）に、被記録媒体の搬送が行われる。より具体的に言えば、上記の第１記録工程及び第１乾燥工程を経て得られた被記録媒体を、Ｙ１方向に搬送、好ましくは硬化ヒーター４３の手前までＹ１方向に搬送し、その後Ｙ２方向に当該被記録媒体を搬送する。
【００４６】
なお、所望の画像を形成するため、バックフィード工程の間にヘッド３１から被記録媒体に向けてインクを吐出せず、バックフィード工程の終了後、搬送方向下流側に向けて搬送している際にインクを吐出することが好ましい。
【００４７】
〔第２記録工程〕
第２記録工程においては、インクジェットヘッドを用いて、乾燥率が６０％以上の上記画像に対して、第２インク組成物を記録する。換言すると、第１記録工程で形成された有色インクに由来する画像に向けて、ヘッドから第２インク組成物を吐出し付着（着弾）させることにより、第２インク組成物が当該画像に上塗りされた画像が形成される。このように、本実施形態における画像は、段階的に形成されて完成するものである。
【００４８】
なお、第２記録工程は、ヘッドから吐出された第２インク組成物が成膜した（膜化した）時点で完了したものとする。
【００４９】
特にバックフィードを取り入れた記録方法の場合、図２に示すように、当該第２記録工程は、Ｙ２方向への搬送動作を行うのと同時に、又は当該逆方向への搬送動作を終えた後に実行される。また、第２記録工程では、主走査方向に、ヘッド３１内のノズルから第２インク組成物を上記第１記録工程で得られた画像に向けて吐出し着弾させて上塗り画像を形成する。さらに、第２記録工程は、逆方向（Ｙ２方向）への搬送動作を終えた後、正方向（Ｙ１方向）に搬送しながら第２インク組成物を用いた記録を行うものであってもよい。
【００５０】
図２に示すように、第２記録工程におけるヘッド３１が、第１記録工程におけるヘッド３１と同一であることにより、記録装置をより小型化することができる。なお、第１記録工程におけるヘッド３１と第２記録工程におけるヘッド３１とが、異なるヘッドであってもよい。
【００５１】
第２記録工程における記録操作は１回行うことにより、通常、記録物（画像）の光沢性及び耐擦性が優れたものとなる。その上で、記録物（画像）の光沢性及び耐擦性を一層優れたものとする場合、第２記録工程における記録操作は２回以上行うことが好ましい。換言すると、第２記録工程は、第１記録工程で得られた画像に対して第２インク組成物を記録し（上塗りし）、被記録媒体上で第２インク組成物の層（以下、「クリアインク層」という。）が乾燥した後に、第２インク組成物を再び記録する（上塗りする）ものであることが好ましい。この場合、第２インク組成物の２度塗りと言うことができる。
なお、上記の上塗りが行われる場合、各クリアインク層を構成する第２インク組成物の組成（配合成分の種類及び含有量）は、互いに同一であってもよく異なってもよい。
【００５２】
１回目の第２インク組成物の記録後の乾燥は、７０℃以上で行われることが好ましく、装置においては第３温度に設定された硬化ヒーター４３で行われるのが好ましい。
また、上記のように第２記録工程における記録操作が２回以上行われる場合、２回目以降の任意の回で形成したクリアインク層が十分乾燥した後に、その次の回を実行してクリアインク層を形成することが好ましい。これにより、記録物（画像）の光沢性及び耐擦性をより一層優れたものとすることができる。
なお、２回目以降の任意の回で形成したクリアインク層を十分乾燥させる方法として、比較的高温下で短時間加熱して乾燥させたり、比較的低温下で長時間加熱して乾燥させたりすることが挙げられる。
【００５３】
〔第２乾燥工程〕
本実施形態のインクジェット記録方法は、第２乾燥工程をさらに含むことが好ましい。当該第２乾燥工程においては、第２記録工程と同時に、又は当該工程の後に行われ、第１温度以上である第３温度で上記の上塗り画像を乾燥させる。第２乾燥工程を行うことにより、第１乾燥工程では行うことが困難な高温加熱を実現することができ、結果として被記録媒体に対する上塗り画像の定着性が一層優れたものとなる。
【００５４】
第３温度で上記の上塗り画像を乾燥する際の乾燥率は、光沢度を一層高めることができるため、７０％以上が好ましい。
【００５５】
当該乾燥は、硬化ヒーター４３によって行われる。硬化ヒーター４３としては、上記乾燥ヒーター４２と同様のものが挙げられ、赤外線ヒーターが好ましい。
【００５６】
上記乾燥の際の温度、即ち第３温度は、第１温度以上であり、かつ、後述するように、少なくとも第２インク組成物に含まれる樹脂のＭＦＴ以上であることが好ましい。この場合、上記の樹脂が融解して上塗り画像のザラツキ感や凹凸感が（ほぼ）無くなるため、光沢性が一層優れたものとなる。第１温度の具体的な温度は、上記の条件を全て満たすため、７０℃以上１２０℃以下が好ましく、８０℃以上１１０℃以下がより好ましい。
なお、上記のＭＦＴについては後述する。
【００５７】
このように、被記録媒体の搬送経路と逆方向に（周期的に）搬送を行うことにより、ヘッドや乾燥機構の数を最小にすることができるため、記録装置の小型化を実現することができる。
【００５８】
〔インクジェット記録方法の変形例〕
（１．バックフィードを行わない記録）
本実施形態の記録方法の一変形例として、上述のような、被記録媒体の搬送経路と逆方向に搬送を行うバックフィード記録でなく、代わりに被記録媒体を搬送させず停止して放置することによって、乾燥ヒーター４２による乾燥又は自然乾燥を行うことが挙げられる。以下では、この記録方法を説明する。
【００５９】
（２．ノズル列の分割による記録）
本実施形態の記録方法の他の変形例として、ノズル列を所定数のノズル孔を含む群毎に分割して記録を行ってもよい。この分割による記録とは、上記第１記録工程に用いられるインクジェットヘッドは、走査機構によって主走査方向に走査され、かつ、複数のノズル孔からなるノズル列を備える。そして、上記ノズル列は、上記第１インク組成物を吐出するための上記ノズル孔を上記主走査方向と交差する副走査方向に複数並べてなる第１ノズル列と、上記画像の下地層を記録する下地インク組成物を吐出するための上記ノズル孔を上記副走査方向に複数並べてなる第２ノズル列と、を含む。このとき、上記第１記録工程は、上記第１ノズル列及び上記第２ノズル列を、上記副走査方向に向かって、所定数の上記ノズル孔を含む群毎に分割して用い、上記副走査方向の上流側にある第１群を用いて、上記下地インク組成物を記録し、かつ、上記第１群よりも上記副走査方向の下流側にある第２群を用いて、上記第１インク組成物を記録するものである。
以下では、図３を参照しつつ、この記録方法を説明する。図３は、ノズル列の分割による記録手段を表す概略図である。
【００６０】
図３に示すように、ノズル列１６Ａ及び１６Ｂは、副走査方向の上流側Ｔ１にある第１群と、当該第１群よりも副走査方向の下流側Ｔ２にある第２群と、に分割して使用する。
【００６１】
まず、キャリッジ４を主走査方向（Ｓ１及びＳ２）に移動させながら、第１ノズル列１６Ａの第１群から下地インク組成物の液滴を吐出させて、被記録媒体Ｐ上に下地インク組成物の液滴を付着させる。次に、副走査方向の下流側Ｔ２方向に、副走査方向の第１群の長さ分だけ被記録媒体Ｐを移動させる。そして、キャリッジ４を主走査方向に移動させながら、第２ノズル列１６Ｂの第２群から上述の第１インク組成物の液滴を吐出させて、被記録媒体Ｐに形成した下層上に第１インク組成物の液滴を付着させることによって、画像が得られる。また、ノズル列を３分割以上にして用いる場合にも、同様に行うことができる。
なお、下地インク組成物は特に制限されないが、二酸化チタン等を含む白色系インク組成物、銀やアルミニウム等を含む光輝性インク組成物が例として挙げられる。
【００６２】
本実施形態の記録方法は、ノズル列を分割して使用することによって、記録の高速化を図ることができる。また、ノズル列を分割して使用すると、被記録媒体のバックフィードを行わずに済むか、あるいは被記録媒体のバックフィードの回数を減らすことができる。これにより、被記録媒体のバックフィードによって生じ得る印刷位置のずれを低減できる。
【００６３】
下地インク組成物を用いる場合の好ましい実施形態としては、下地インク組成物及び第１インク組成物をノズル列の分割によって付与して画像を形成し、記録媒体を搬送方向下流側に搬送させて下流側にある加熱機構によって画像を乾燥させる。そして、その後にバックフィードを行い、第２インク組成物を付与する態様が好ましい。
【００６４】
（３．ラインプリンターによる記録）
これまで、シリアルプリンターによる記録について、記録方法及び変形例を説明してきた。一方、ラインプリンターによる記録の場合、ラインヘッドはプリンターの構造上、インク組成物の種類数だけ必要となる。
【００６５】
したがって、例えば、上述したように、第１記録工程で得られた画像に対して第２インク組成物を２度記録する（２度塗りする）場合、第２インク組成物の吐出用のラインヘッドは２つ必要となる。  
【００６６】
［インク組成物］
上述のインク組成物（第１インク組成物及び第２インク組成物を含む。以下同じ。）は、本実施形態のインクジェット記録方法に用いられるものである。第１インク組成物は、色材を含有する。第２インク組成物は、樹脂を含有し且つ色材を実質的に含有しない。
ここで、本明細書における「実質的に含有しない」とは、添加する意義を十分に発揮する量以上含有させないことを意味する。定量的に言えば、「実質的に含有しない」とは、含有量がインク組成物の総質量（１００質量％）に対して、０．５質量％以下であることを意味し、好ましくは０．２質量％以下、より好ましくは０．１質量％以下、さらに好ましくは０．０５質量％以下、さらにより好ましくは０．０１質量％以下であることを意味する。
以下、当該インク組成物に含まれるか又は含まれ得る添加剤（成分）について、説明する。
【００６７】
〔色材〕
第１インク組成物は色材を含有する。色材は、顔料及び染料のうち少なくとも一方を用いることができる。
【００６８】
（顔料）
色材として顔料を用いることにより、インク組成物の耐光性を向上させることができる。顔料は、無機顔料及び有機顔料のいずれも使用することができる。
【００６９】
無機顔料としては、ファーネスブラック、ランプブラック、アセチレンブラック、チャネルブラック等のカーボンブラック（Ｃ．Ｉ．ピグメントブラック７）類、酸化鉄、酸化チタンを使用することができる。
【００７０】
有機顔料としては、不溶性アゾ顔料、縮合アゾ顔料、アゾレーキ、キレートアゾ顔料等のアゾ顔料、フタロシアニン顔料、ペリレン及びペリノン顔料、アントラキノン顔料、キナクリドン顔料、ジオキサン顔料、チオインジゴ顔料、イソインドリノン顔料、キノフタロン顔料等の多環式顔料、染料キレート（例えば、塩基性染料型キレート、酸性染料型キレート等）、染色レーキ（塩基性染料型レーキ、酸性染料型レーキ）、ニトロ顔料、ニトロソ顔料、アニリンブラック、昼光蛍光顔料が挙げられる。
【００７１】
更に詳しく言えば、ブラックインクに使用されるカーボンブラックとしては、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学社（Mitsubishi Chemical Corporation）製）、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５、Ｒａｖｅｎ  ７００等（以上、コロンビアカーボン（Carbon Columbia）社製）、Ｒｅｇａ１  ４００Ｒ、Ｒｅｇａ１  ３３０Ｒ、Ｒｅｇａ１  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００等（キャボット社（CABOT JAPAN K．K．）製）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂ１ａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４（以上、デグッサ（Degussa）社製）が挙げられる。
【００７２】
ホワイトインクに使用される顔料としては、Ｃ．Ｉ．ピグメントホワイト  ６、１８、２１が挙げられる。
【００７３】
イエローインクに使用される顔料としては、Ｃ．Ｉ．ピグメントイエロー  １、２、３、４、５、６、７、１０、１１、１２、１３、１４、１６、１７、２４、３４、３５、３７、５３、５５、６５、７３、７４、７５、８１、８３、９３、９４、９５、９７、９８、９９、１０８、１０９、１１０、１１３、１１４、１１７、１２０、１２４、１２８、１２９、１３３、１３８、１３９、１４７、１５１、１５３、１５４、１６７、１７２、１８０が挙げられる。
【００７４】
マゼンタインクに使用される顔料としては、Ｃ．Ｉ．ピグメントレッド  １、２、３、４、５、６、７、８、９、１０、１１、１２、１４、１５、１６、１７、１８、１９、２１、２２、２３、３０、３１、３２、３７、３８、４０、４１、４２、４８（Ｃａ）、４８（Ｍｎ）、５７（Ｃａ）、５７：１、８８、１１２、１１４、１２２、１２３、１４４、１４６、１４９、１５０、１６６、１６８、１７０、１７１、１７５、１７６、１７７、１７８、１７９、１８４、１８５、１８７、２０２、２０９、２１９、２２４、２４５、又はＣ．Ｉ．ピグメントヴァイオレット  １９、２３、３２、３３、３６、３８、４３、５０が挙げられる。
【００７５】
シアンインクに使用される顔料としては、Ｃ．Ｉ．ピグメントブルー  １、２、３、１５、１５：１、１５：２、１５：３、１５：３４、１５：４、１６、１８、２２、２５、６０、６５、６６、Ｃ．Ｉ．バットブルー  ４、６０が挙げられる。
【００７６】
また、マゼンタ、シアン、及びイエロー以外の顔料としては、例えば、Ｃ．Ｉ．ピグメント グリーン  ７，１０、Ｃ．Ｉ．ピグメントブラウン  ３，５，２５，２６、Ｃ．Ｉ．ピグメントオレンジ  １，２，５，７，１３，１４，１５，１６，２４，３４，３６，３８，４０，４３，６３が挙げられる。
【００７７】
上記顔料は１種単独で用いてもよく、２種以上を併用してもよい。
【００７８】
上記の顔料を使用する場合、その平均粒子径は３００ｎｍ以下が好ましく、５０〜２００ｎｍがより好ましい。平均粒子径が上記の範囲内にあると、インク組成物における吐出安定性や分散安定性などの信頼性に一層優れるとともに、優れた画質の画像を形成することができる。ここで、本明細書における平均粒子径は、動的光散乱法により測定される。
【００７９】
（染料）
色材として染料を用いることができる。染料としては、特に限定されることなく、酸性染料、直接染料、反応性染料、及び塩基性染料が使用可能である。前記染料として、例えば、Ｃ．Ｉ．アシッドイエロー  １７，２３，４２，４４，７９，１４２、Ｃ．Ｉ．アシッドレッド  ５２，８０，８２，２４９，２５４，２８９、Ｃ．Ｉ．アシッドブルー  ９，４５，２４９、Ｃ．Ｉ．アシッドブラック  １，２，２４，９４、Ｃ．Ｉ．フードブラック  １，２、Ｃ．Ｉ．ダイレクトイエロー  １，１２，２４，３３，５０，５５，５８，８６，１３２，１４２，１４４，１７３、Ｃ．Ｉ．ダイレクトレッド  １，４，９，８０，８１，２２５，２２７、Ｃ．Ｉ．ダイレクトブルー  １，２，１５，７１，８６，８７，９８，１６５，１９９，２０２、Ｃ．Ｉ．ダイレクドブラック  １９，３８，５１，７１，１５４，１６８，１７１，１９５、Ｃ．Ｉ．リアクティブレッド  １４，３２，５５，７９，２４９、Ｃ．Ｉ．リアクティブブラック  ３，４，３５が挙げられる。
【００８０】
上記染料は１種単独で用いてもよく、２種以上を併用してもよい。
【００８１】
色材の含有量は、優れた隠蔽性及び色再現性が得られるため、インク組成物の総質量（１００質量％）に対して、１〜２０質量％が好ましい。
【００８２】
〔分散剤〕
インク組成物が顔料を含む場合、顔料分散性をより良好なものとするため、分散剤をさらに含んでもよい。分散剤として、特に限定されないが、例えば、高分子分散剤などの顔料分散液を調製するのに慣用されている分散剤が挙げられる。その具体例として、ポリオキシアルキレンポリアルキレンポリアミン、ビニル系ポリマー及びコポリマー、アクリル系ポリマー及びコポリマー、ポリエステル、ポリアミド、ポリイミド、ポリウレタン、アミノ系ポリマー、含珪素ポリマー、含硫黄ポリマー、含フッ素ポリマー、及びエポキシ樹脂のうち一種以上を主成分とするものが挙げられる。高分子分散剤の市販品として、味の素ファインテクノ社製のアジスパーシリーズ、アベシア（Ａｖｅｃｉａ）社やノベオン（Ｎｏｖｅｏｎ）社から入手可能なソルスパーズシリーズ（Ｓｏｌｓｐｅｒｓｅ  ３６０００等）、ＢＹＫＣｈｅｍｉｅ社製のディスパービックシリーズ、楠本化成社製のディスパロンシリーズが挙げられる。
【００８３】
〔樹脂〕
本実施形態における第２インク組成物は、樹脂（樹脂粒子）を含有する。第２インク組成物が樹脂を含有することにより、主に上塗り画像の耐擦性を優れたものとすることができる。
【００８４】
なお、本実施形態における第１インク組成物は樹脂を含有してもよい。だが、第１インク組成物が樹脂を含有しない場合、第１インク組成物の色材濃度を相対的に高くすることができるため、画像の画質を損ねないようにすることができる。
【００８５】
特に上述の乾燥工程を行う場合、樹脂の熱変形温度は、第１温度以上、第３温度以下であることが好ましい。当該熱変形温度が第１温度以上であると、ヘッドの目詰まり安定性が一層優れたものとなる。一方、当該熱変形温度が第３温度以下であると、樹脂が融解して上塗り画像の表面が平滑に近づくため、画像の光沢性が一層優れたものとなる。
【００８６】
ここで、本明細書における「熱変形温度」は、ガラス転移温度（Ｔｇ）又は最低造膜温度（Ｍｉｎｉｍｕｍ  Ｆｉｌｍ  ｆｏｒｍｉｎｇ  Ｔｅｍｐｅｒａｔｕｒｅ；ＭＦＴ）で表された温度値とする。このうち、ＭＦＴの方がＴｇよりも樹脂の再分散性の優劣を把握しやすいため、当該熱変形温度はＭＦＴで表された温度値であることが好ましい。樹脂の再分散性に優れたインク組成物であると、インクが固着しないためヘッドの目詰まり安定性が一層優れたものとなる。
なお、本明細書における再分散性の評価方法は、実施例の項で挙げた方法を採用する。また、本明細書におけるＴｇは示差走査熱量測定法により測定された値で記載している。本明細書におけるＭＦＴは、ＩＳＯ  ２１１５：１９９６（標題：プラスチック−ポリマー分散−白色点温度及びフィルム形成最低温度の測定）により測定された値で記載している。
【００８７】
樹脂粒子の体積基準の平均粒子径は、５０〜２００ｎｍが好ましい。平均粒子径が上記範囲内である場合、光沢性及びヘッドの目詰まり安定性を一層優れたものとすることができ、長期間に亘って所望の画質の上塗り画像を形成することができる。
【００８８】
樹脂としては、以下に限定されないが、例えば、脂肪族ポリエステル樹脂及び芳香族ポリエステル樹脂などのポリエステル樹脂、ポリ塩化ビニル樹脂、ポリ酢酸ビニル樹脂、及びポリビニルアルコール樹脂などのビニル樹脂、塩化ビニル−酢酸ビニル樹脂、エチレン−酢酸ビニル樹脂、ポリビニルブチラール樹脂、並びにエチルセルロース樹脂、セルロースアセテートプロピオネート樹脂、及びニトロセルロース樹脂などのセルロース樹脂、ポリ（メタ）アクリル樹脂、ポリ（メタ）アクリル酸メチル樹脂、及びポリ（メタ）アクリル酸エチル樹脂などの（メタ）アクリル樹脂、エチレン−（メタ）アクリル樹脂、スチレン−（メタ）アクリル樹脂、エチレン−（メタ）アクリル酸エステル樹脂、ウレタン樹脂、ポリスチレン樹脂、ポリカーボネート樹脂、フェノキシ樹脂、ポリアミド樹脂、ポリイミド樹脂、ポリスルホン系樹脂、石油樹脂、塩素化ポリプロピレン樹脂、ポリオレフィン樹脂、エチレンアルキル（メタ）アクリレート樹脂、ロジン変性フェノール樹脂、及びＮＢＲ・ＳＢＲ・ＭＢＲ等の各種合成ゴム、並びにそれらの変性体が挙げられる。樹脂がこれらの成分であると、上塗り画像の光沢性及び耐擦性を優れたものとすることができる。また、ヘッドの目詰まり安定性を優れたものとすることができ、長期間に亘って画質に優れた上塗り画像を形成することができる。
【００８９】
これらの中でも、耐久性に優れるため、アクリル樹脂、ウレタン樹脂、ポリエステル樹脂、及びスチレン−アクリル樹脂から選択される一種以上が好ましい。
【００９０】
また、樹脂の中でも、エマルジョンを形成可能なものが好ましい。樹脂としてエマルジョンを形成することができるものを選択すると、乾燥による皮膜化により、第１インク組成物で形成された画像上に、第２インク組成物が一層効果的に定着することができる。
【００９１】
これらの中でも水系ウレタン樹脂エマルジョンが好ましい。この市販品としては、例えば、モビニール  ９７２（固形分濃度５０％）、６５３０（固形分濃度４４％）、７４２Ａ（固形分濃度４６％）（以上、日本合成化学社（Nippon Synthetic Chemical Industry Co., Ltd.）製商品名）、ビニブラン２５００Ｅ（日信化学社（Nissin Chemical Industry CO.,Ltd.）製商品名、固形分濃度３５％）、スーパーフレックス  １１０、１３０、１７０、２１０、３００、４２０、４２０ＮＳ、４６０、４７０、５００、６１０、６２０、６５０、７００、７４０、８６０、８７０、Ｅ−２０００、Ｅ−２５００、Ｅ−４０００、Ｅ−４８００、Ｒ−５０００（以上、第一工業製薬社（Dai-ichi Kogyo Seiyaku Co., Ltd.）製商品名）、ＮｅｏＲｅｚ  Ｒ−９６６０、Ｒ−９７２、Ｒ−９６３７、Ｒ−９６７、Ｒ−９４０（以上、楠本化成（KUSUMOTO CHEMICALS）社製商品名）、アデカボンタイターＨＵＸ−３８０、４０１、２９０Ｋ、３９４、６８０（以上、ＡＤＥＫＡ社製商品名）等が挙げられる。
【００９２】
樹脂は、アニオン性、ノニオン性、又はカチオン性のいずれであってもよい。これらの中でも、ヘッドに適した材質という観点から、ノニオン性又はアニオン性が好ましい。
【００９３】
樹脂は、１種単独で用いてもよく、２種以上を組み合わせて用いてもよい。
【００９４】
樹脂の含有量は、第２インク組成物の総質量（１００質量％）に対し、１〜３０質量％であることが好ましく、５〜１０質量％であることがより好ましい。含有量が上記範囲内である場合、形成される上塗り画像の光沢性及び耐擦性を一層優れたものとすることができる。
【００９５】
〔界面活性剤〕
本実施形態におけるインク組成物は、界面活性剤を含有してもよい。当該界面活性剤としては、アセチレングリコール系界面活性剤又はポリシロキサン系界面活性剤を用いることが好ましい。アセチレングリコール系界面活性剤又はポリシロキサン系界面活性剤は、被記録媒体における被記録面への親和性（濡れ性）を良好にすることで、インク組成物の浸透性を良好にすることができる。
【００９６】
アセチレングリコール系界面活性剤としては、市販品を利用することができ、例えば、オルフィン  Ｅ１０１０、ＳＴＧ、Ｙ（以上、日信化学社（Nissin Chemical Industry Co.,Ltd.）製商品名）、サーフィノール  １０４、８２、４６５、４８５、ＴＧ（以上、Air Products and Chemicals Inc.製商品名）が挙げられる。
【００９７】
ポリシロキサン系界面活性剤としては、市販品を利用することができ、例えば、ＢＹＫ−３４７、ＢＹＫ−３４８（ＢＹＫ社製商品名）などが挙げられる。
【００９８】
さらに、インク組成物は、アニオン性界面活性剤、ノニオン性界面活性剤、及び両性界面活性剤など、その他の界面活性剤を含有することもできる。
【００９９】
界面活性剤は、１種単独で用いてもよく、２種以上を組み合わせて用いてもよい。
【０１００】
界面活性剤の含有量は、特に限定されないが、インク組成物の総質量（１００質量％）に対し、０．１〜１．０質量％程度であるとよい。
【０１０１】
〔水溶性有機溶剤（湿潤剤）〕
ヘッドのノズル近傍での目詰まりを防止する目的で、インク組成物は湿潤効果を付与する水溶性有機溶剤（湿潤剤）を含有してもよい。この湿潤剤として、以下に限定されないが、例えば、グリセリン、１，２，６−ヘキサントリオール、トリメチロールプロパン、エチレングリコール、プロピレングリコール、ブチレングリコール、ジエチレングリコール、トリエチレングリコール、テトラエチレングリコール、ペンタエチレンフリコール、ジプロピレングリコール、２−ブテン−１，４−ジオール、２−エチル−１，３−ヘキサンジオール、２−メチル−２，４−ペンタンジオール等の多価アルコール類、グルコース、マンノース、フルクトース、リボース、キシロース、アラビノース、ガラクトース、アルドン酸、グルシトール（ソルビット）、マルトース、セロビオース、ラクトース、スクロース、トレハロース、マルトトリオース等の糖類、糖アルコール類、ヒアルロン酸類、尿素類などのいわゆる固体湿潤剤、エタノール、メタノール、ブタノール、プロパノール、イソプロパノール等の炭素数１〜４のアルキルアルコール類、ピロリドンカルボン酸、アスパラギン酸、グリシン、グリシン、プロリン、及びベタイン等のいわゆるアミノ酸、２−ピロリドン、Ｎ−メチル−２−ピロリドン、１，３−ジメチル−２−イミダゾリジノン、ホルムアミド、アセトアミド、ジメチルスルホキシド、ソルビット、ソルビタン、アセチン、ジアセチン、トリアセチン、及びスルホランが挙げられる。
【０１０２】
水溶性有機溶剤は、１種単独で用いてもよく、２種以上を組み合わせて用いてもよい。
【０１０３】
インクの適正な物性値（粘度等）、並びに良好な印刷品質及び信頼性を確保するため、水溶性有機溶剤の含有量は、インク組成物の総質量（１００質量％）に対し、５〜３０質量％程度であればよい。
【０１０４】
〔非プロトン性極性溶媒〕
上記第２インク組成物は、非プロトン性極性溶媒を実質的に含有しないことが好ましい。第２インク組成物が非プロトン性極性溶媒を実質的に含有しないことにより、第２インク組成物中に含まれる樹脂の再分散性が向上し、吐出安定性に優れるからである。
【０１０５】
一方で、上記第１インク組成物は、被記録媒体の種類によっては非プロトン性極性溶媒を添加することが好ましい。第１インク組成物が非プロトン性極性溶媒を含むことにより、特に塩化ビニル等の被記録媒体へのインクの密着性が一層優れたものとなるからである。
【０１０６】
上記の非プロトン性極性溶剤としては、以下に限定されないが、例えば、β−プロピオラクトン（沸点１５５℃）、γ−ブチロラクトン（沸点２０３℃、以下「ＧＢＬ」とも言う。）、γ−バレロラクトン（沸点２０７℃）、γ−ヘキサラクトン（沸点２１９℃）、γ−オクタラクトン（沸点２３４℃）、γ−ノナラクトン（沸点１２１℃）、δ−バレロラクトン（沸点２３０℃）、δ−オクタラクトン（沸点２３８℃）、δ−ノナラクトン（沸点１２１℃）、δ−デカラクトン（沸点１２０℃）、及びδ−ウンデカラクトン（沸点１５２℃）等のラクトン系溶剤、並びに、Ｎ−メチル−２−ピロリドン（沸点２０２℃、以下「ＮＭＰ」とも言う。）、２−ピロリドン（沸点２４５℃、以下「２−Ｐ」とも言う。）、ヘキサメチルリン酸トリアミド（沸点２３０℃、ＨＭＰＡ）、Ｎ−シクロヘキシルピロリドン（沸点１５４℃、ＮＣＰ）、テトラメチル尿素（沸点１７７℃、ＴＣＵ）、１，３−ジメチル−２−イミダゾリジノン（沸点２２５℃、以下「ＤＭＩ」とも言う。）、Ｎ，Ｎ−ジメチルホルムアミド（沸点１５３℃、ＤＭＦ）、Ｎ，Ｎ−ジメチルアセトアミド（沸点１６６℃、ＤＭＡ）、テトラメチレンスルホキシド（沸点２３５℃）、及びジメチルスルホキシド（沸点１８９℃、以下「ＤＭＳＯ」とも言う。）が挙げられる。
【０１０７】
なお、上記の中でもラクトン系溶剤は、エステル結合による環状構造を持つ化合物であり、５員環構造のγ−ラクトン、６員環構造のδ−ラクトン、及び７員環構造のε−ラクトン等がある。これらの中でも、第２インク組成物が含有する非プロトン性極性溶媒として、ＧＢＬ、ＮＭＰ、２−Ｐ、ＤＭＩ、及びＤＭＳＯが好ましい。
【０１０８】
〔水〕
本実施形態におけるインク組成物は、主溶媒として水を含有することが好ましい。この水として、例えば、イオン交換水、限外濾過水、逆浸透水、蒸留水等の純水、又は超純水が挙げられる。中でも、カビやバクテリアの発生を防止してインク組成物の長期保存が可能となるため、紫外線照射又は過酸化水素の添加などにより滅菌処理した水が好ましい。
【０１０９】
〔その他の添加剤〕
本実施形態におけるインク組成物は、上記以外の添加剤（その他の添加剤）を含有してもよい。このような添加剤としては、例えば、ｐＨ調整剤、防腐剤・防黴剤、グリコールエーテル等の浸透促進剤、酸化防止剤などが挙げられる。
【０１１０】
〔被記録媒体〕
本実施形態の記録方法に用いられる被記録媒体は、インク非吸収性又は低吸収性の被記録媒体である。
【０１１１】
上記の「インク非吸収性又は低吸収性の被記録媒体」とは、インクの受容層（受理層）を備えていないか、あるいは、受容層としての機能を十分発揮できない程度の厚みしか有しない受容層を備えた被記録媒体をいう。より定量的にいうと、この「インク非吸収性又は低吸収性の被記録媒体」とは、被記録面が、ブリストー（Ｂｒｉｓｔｏｗ）法において接触開始から３０ｍｓｅｃ１／２までの水吸収量が１０ｍＬ／ｍ２以下である被記録媒体のことをいう。
【０１１２】
上記のブリストー法は、「ＪＡＰＡＮ  ＴＡＰＰＩ紙パルプ試験方法２０００年版」の規格Ｎｏ．５１「紙及び板紙−液体吸収性試験方法−ブリストー法」に記載されている。このブリストー法とは、要するに、ミリ秒単位の短時間における液体の被記録媒体表面への濡れ、及び、これに続く、液体の被記録媒体中への浸透挙動を測定する方法であり、ヘッドボックスから液体を回転ホイール上の試験片に動的に転移させ、吸収時間及び転移量から吸収係数Ｋａ［単位：ｍＬ／ｍ２・（ｍｓｅｃ１／２）］が求められる。
【０１１３】
インク非吸収性の被記録媒体として、以下に限定されないが、例えば、インクジェット記録用に表面処理されていない、即ちインク受容層を有していないプラスチックフィルムや紙などの基材上に、プラスチックがコーティングされているもの及びプラスチックフィルムが接着されているものが挙げられる。上記のプラスチックとして、以下に限定されないが、例えば、ポリ塩化ビニル、ポリエチレンテレフタレート、ポリカーボネート、ポリスチレン、ポリウレタン、ポリエチレン、及びポリプロピレンが挙げられる。
【０１１４】
インク低吸収性の被記録媒体として、以下に限定されないが、例えば、塗工紙、並びに微塗工紙、アート紙、コート紙、マット紙、及びキャスト紙などの印刷用紙（記録用紙）が挙げられる。
【０１１５】
上記の塗工紙は、表面に塗料を塗布し、美感や平滑さを高めた紙のことをいう。前記塗料は、タルク、パイロフィライト、クレー（カオリン）、酸化チタン、炭酸マグネシウム、及び炭酸カルシウム等の顔料と、デンプン及びポリビニルアルコール等の接着剤と、を混合することにより調製することができる。上記塗料は、紙の製造工程中でコーターを用いて塗布する。コーターには、抄紙機と直結することで抄紙及び塗工を一工程とするオンマシン式と、抄紙を別工程とするオフマシン式とがある。
【０１１６】
上記の微塗工紙とは、塗料の塗工量が１２ｇ／ｍ２以下である記録用紙のことをいう。上記のアート紙とは、上質紙（上級記録用紙）に４０ｇ／ｍ２前後の塗料を塗工した記録用紙のことをいう。上記のコート紙とは、２０ｇ／ｍ２〜４０ｇ／ｍ２程度の塗料を塗工した記録用紙のことをいう。上記のキャスト紙とは、キャストドラムを用いて、アート紙やコート紙の表面に圧力をかけることで、金属光沢性や平滑性がより優れるように仕上げられた記録用紙のことをいう。
【０１１７】
このように、本実施形態によれば、光沢性及びヘッドの目詰まり安定性に優れたインクジェット記録方法を提供することができる。より詳しく言えば、クリアインク塗膜の光沢性を優れたものとすることができ、かつ、滲みが発生する虞がないことからインク打ち込み量を多くすることができる。
【実施例】
【０１１８】
以下、本発明の実施形態を実施例によってさらに具体的に説明するが、本実施形態はこれらの実施例のみに限定されるものではない。
【０１１９】
［使用材料］
下記の実施例、比較例、参考例、及び実験例において使用した材料は、以下の通りである。
〔樹脂エマルジョン〕
・モビニール９７２（日本合成化学社製商品名、固形分濃度５０％）
・モビニール６５３０（日本合成化学社製商品名、固形分濃度４４％）
・モビニール７４２Ａ（日本合成化学社製商品名、固形分濃度４６％）
・ビニブラン２５００Ｅ（日信化学社製商品名、固形分濃度３５％）
〔顔料〕
・カーボンブラック（以下、「Ｋ」とも言う。）
・ピグメントブルー１５：３（以下、「Ｃ」とも言う。）
・ピグメントレッド１２２（以下、「Ｍ」とも言う。）
・ピグメントイエロー１５５（以下、「Ｙ」とも言う。）
〔水溶性有機溶剤〕
・２−ピロリドン（以下、「２−Ｐ」とも言う。）
・ブチレングリコール（以下、「ＢＧ」とも言う。）
〔界面活性剤〕
・ＢＹＫ−３４８（ＢＹＫ社製商品名）
〔水〕
・純水
【０１２０】
［顔料分散液の調製］
ここで、顔料は以下の方法によって分散した。
分散樹脂（水溶性樹脂として、メタクリル酸／ブチルアクリレート／スチレン／ヒドロキシエチルアクリレート＝２５／５０／１５／１０の質量比で共重合したもの。重量平均分子量１２，０００）４０質量部を、水酸化カリウム７部、水２３質量部、及びトリエチレングリコール−モノ−ｎ−ブチルエーテル３０質量部の混合液に投入し、８０℃で加熱及び撹拌して溶解し、水溶性樹脂溶液を調製した。この溶液（固形分４３％）１．７５ｋｇに、上記の各顔料３．０ｋｇ、エチレングリコール１．５ｋｇ、及び水８．７５ｋｇを配合し、混合撹拌機で撹拌してプレミキシングを行った。この顔料混合液を、０．５ｍｍのジルコニアビーズを８５％充填した、１．５リットルの有効容積を有する多ディスク型羽根車を備えた横型のビーズミルを用いて、マルチパス方式により分散を行った。具体的には、ビーズ周速を８ｍ／秒、１時間当たり３０リットルの吐出量で２パス行い、顔料混合液を得た。
次に、０．０５ｍｍのジルコニアビーズを９５％充填した、１．５リットルの有効容積を有する横型のアニュラー型のビーズミルを用いて、循環分散を行った。スクリーンは孔径が０．０１５ｍｍのものを使用し、ビーズ周速を１０ｍ／秒として、顔料混合液１０ｋｇを循環量３００リットル／時で４時間分散処理を行い、顔料固形分２０％の顔料分散液を得た。
【０１２１】
［インク組成物の作製］
表１に示す含有量で各材料を混合し、室温にて２時間攪拌した後、孔径５μｍのメンブランフィルターで濾過して、第１インク組成物（組成９）及び組成１〜組成８の第２インク組成物（クリアインク組成物）を作製した。第１インク組成物は複数色用意しているが、顔料種が異なる以外は同様の組成である（つまり、組成９のうち顔料の種類のみＫ、Ｃ、Ｍ、及びＹと異なるため、第１インク組成物は計４種類ある。）。
なお、表１に示す含有量の単位は質量％である。また、クリアインク組成物中の樹脂の固形分濃度は、全て７％とした。さらに、表１中のインク膜化温度とは、クリアインク組成物に含まれる樹脂のＭＦＴに対応するものである。また、後述のインクジェット記録において、各組成のクリアインク組成物はいずれも、表１中の対応するインク膜化温度で成膜した。
【０１２２】
【表１】
2013144385.tif 000003
【０１２３】
ここで、組成１〜組成８で表される各クリアインク組成物における樹脂の再分散性を評価したので、その結果を下記表２にまとめる。再分散性は、表１で挙げた各組成のインク組成物をそれぞれ５０℃で１時間乾燥させた後、これに純水を加えて再分散するか否かを、目視で観察することにより評価した。表２中、「○」は再分散したことを表し、「×」は再分散しなかったことを表す。
【０１２４】
【表２】
2013144385.tif 000004
【０１２５】
再分散性に優れたインク組成物であると、インクが固着しないためヘッドの目詰まり安定性が優れたものとなる。表２より、溶剤（水溶性有機溶剤）がブチレングリコール（ＢＧ）であり、かつ、樹脂のＭＦＴが６０℃以上であるモビニール９７２又はモビニール６５３０であるクリアインク組成物において、再分散性に優れることが分かった。
なお、以下では、クリアインク組成物として組成１〜組成４のみ使用した。
【０１２６】
［実施例１］
被記録媒体として３Ｍ社製のＩＪ４０（ポリ塩化ビニル）を用い、かつ、組成９の有色インク組成物及び組成２のクリアインク組成物、並びに図２に示すインクジェット記録装置を用いて、以下のようにして、記録物を製造した。
【０１２７】
〔第１記録工程〕
第１記録工程は、Ｙ１方向への搬送動作を行うのと同時に実行した。主走査方向に、インクジェットヘッド内のノズルから上記有色インク組成物を被記録媒体に向けて吐出し着弾させて画像を形成した。なお、記録解像度は７２０×１４４０ｄｐｉ、走査回数は１０回、１滴当たりの吐出重量は１８ｎｇ、Ｄｕｔｙは１００％に、それぞれ条件を設定した。
【０１２８】
〔第１乾燥工程〕
第１乾燥工程は、第１記録工程と同時に行った。乾燥ヒーター４２（赤外線ヒーター）を用いて、６０℃（第１温度）で上記画像を乾燥した。このときの乾燥率は８５％であった。なお、乾燥率は第２記録工程時の質量を基に算出した。
【０１２９】
なお、乾燥ヒーター４２を用いて上記画像を乾燥する際、冷風を供給する送風機４４を使用した。
【０１３０】
〔バックフィード工程〕
バックフィード工程では、第１乾燥工程を経た被記録媒体を、硬化ヒーター４３の手前までＹ１方向に搬送し、その後Ｙ２方向に搬送した。
【０１３１】
〔第２記録工程〕
第２記録工程では、乾燥率が８５％の上記画像に向けて、インクジェットヘッド（第１記録工程と同一のもの）内のノズル列から上記クリアインク組成物を吐出し着弾させることにより、クリアインク組成物が当該画像に上塗りされた画像（上塗り画像）を形成した。なお、記録解像度は７２０×１４４０ｄｐｉ、走査回数は４回、１滴当たりの吐出重量は１８ｎｇ、Ｄｕｔｙは０〜２００％に、それぞれ条件を設定した。
【０１３２】
〔第２乾燥工程〕
第２乾燥工程は、第２記録工程の後に行った。硬化ヒーター４３（赤外線ヒーター）を用いて、１００℃（第３温度）で上記の上塗り画像を乾燥させて、被記録媒体上に定着させた。このようにして、記録物を得た。
【０１３３】
［比較例１〜２］
有色インク組成物及びクリアインク組成物として、下記の表３に記載された組成を採用し、かつ、乾燥率を表３に記載された値とした点以外は、実施例１と同様にして記録物を得た。
【０１３４】
得られた記録物について、光沢度の評価を行った。
【０１３５】
記録物の２０°鏡面光沢度を、光沢度計（日本電色工業社製、商品名「ＧｌｏｓｓＭｅｔｅｒ  型番ＶＧＰ５０００」）を用い、ＪＩＳ  Ｚ８７４１：１９９７に従って測定した。また、比較例１の記録方法はノズル列の分割付与を利用し、有色インク組成物、クリアインク組成物の順番に付与し、比較例２の記録方法は同一走査時に同一地点に対して有色インク組成物及びクリアインク組成物を付与した。
【０１３６】
【表３】
2013144385.tif 000005
【０１３７】
［実施例２〜４及び実験例１］
組成２のクリアインク組成物の記録方法を下記表４にまとめる。なお、表４中、Ｄｕｔｙ２００％は、２色分のノズル列を使用することにより実現したものである。
【０１３８】
【表４】
2013144385.tif 000006
【０１３９】
得られた記録物について、光沢度の評価を行った。
【０１４０】
また、上記表４及び下記表５に示すように、実施例２は、第２記録工程以降において、方法１によりクリアインク組成物を１回に１層分塗った（２層２度塗り）点以外は、実施例１と同様にして記録物を製造した。また、実施例３は、第２記録工程以降において、方法２によりクリアインク組成物を１回に２層分塗った（２層１度塗り）点以外は、実施例１と同様にして記録物を製造した。また、実施例４は、第２記録工程以降において、方法３により、クリアインク組成物を１回に１層分塗った（１層１度塗り）点以外は、実施例１と同様にして記録物を製造した。
【０１４１】
なお、実施例２〜４の比較対照として、クリアインク組成物を上塗りしない系を実験例１とした。これら実施例２〜４及び実験例１の光沢度（２０度）の結果を下記表５にまとめる。また、図５は、実施例２〜４及び実験例１の光沢度（２０度）の結果を表すグラフである。なお、下記表５中、ＣＭＰは、シアンインク（Ｃ）、マゼンダインク（Ｍ）、イエローインク（Ｙ）を用いて黒色画像を作成したものに相当する。
【０１４２】
【表５】
2013144385.tif 000007
【０１４３】
続いて、目詰まり安定性の評価を行った。この評価は、組成１〜組成４のクリアインク組成物のみを用いて行った（参考例１〜４）。インクをヘッドに充填し４０℃で３日間放置した後、吐出試験を行った。
【０１４４】
評価基準は以下のとおりである。評価結果を下記表６に示す。
○：耐目詰まり性が良好である。
△：目詰まりが多く見られる。
【０１４５】
【表６】
2013144385.tif 000008
【符号の説明】
【０１４６】
１…プリンター、４…キャリッジ、１０…搬送ユニット、１１…給紙ローラー、１３…搬送ローラー、１４…プラテン、１５…排紙ローラー、１６Ａ…第１ノズル列、１６Ｂ…第２ノズル列、２０…キャリッジユニット、２１…キャリッジ、２４…ガイド軸、３０…ヘッドユニット、３１…ヘッド、４０…ヒーターユニット、４２…乾燥ヒーター、４３…硬化ヒーター、４４…送風機、５０…検出器群、５３…紙検出センサー、５４…光学センサー、６０…コントローラー、６１…インターフェイス部、６２…ＣＰＵ、６３…メモリー、６４…ユニット制御回路、１１０…コンピューター、Ｐ…被記録媒体、Ｙ１…副走査方向のうち正方向、Ｙ２…副走査方向のうち逆方向、Ｔ１…副走査方向の上流側（第１群）、Ｔ２…第１群よりも副走査方向の下流側（第２群）。
【図１】
2013144385.tif 000009
【図２】
2013144385.tif 000010
【図３】
2013144385.tif 000011
【図４】
2013144385.tif 000012
【図５】
2013144385.tif 000013